(57)【要約】【課題】玩具等を入れる包装用のプラスチックケースであって、中身の玩具等を取り出した後はブロック玩具や小物入れとして利用できようにする。【解決手段】一端が開口した６角柱形状の函体と、この函体内に前記開口部を通じて出し入れ可能に挿入される引き出し体とからなり、前記函体の６面の側面のうち、隣接する３面の側面にはその長手方向に沿って凹溝が形成されるとともに、他の隣接する３面の側面にはその長手方向に沿って凸条が形成され、前記凹溝及び／又は凸条を他の収納用プラスチックケースの凸条及び／又は凹溝に脱着可能に嵌挿させることにより、他の収納用プラスチックケースと連結可能とした。【選択図】　　　図１
2004051221.tif 000002
【特許請求の範囲】
【請求項１】
一端が開口した６角柱形状の函体と、該函体内に前記開口部を通じて出し入れ可能に挿入される引き出し体とからなり、
前記函体の６面の側面のうち、隣接する３面の側面にはその長手方向に沿って凹溝が形成されるとともに、他の隣接する３面の側面にはその長手方向に沿って凸条が形成され、前記凹溝及び／又は凸条を他の収納用プラスチックケースの凸条及び／又は凹溝に脱着可能に嵌挿させることにより、他の収納用プラスチックケースと連結可能としたことを特徴とする組み立て可能なプラスチックケース。
【請求項２】
函体における凸条が設けられた側面の開口部側の端部に、他の収納用プラスチックケースの凹溝形成部の端面を当接させるためのストッパ部が形成されていることを特徴とする請求項１に記載の組み立て可能なプラスチックケース。
【請求項３】
引き出し体が、６面の側面うち隣接する２面の側面が開口した６角柱形状に構成されることを特徴とする請求項１又は２に記載の組み立て可能なプラスチックケース。
【請求項４】
引き出し体の６角形状の前面板部の外縁の少なくとも一部に、函体の開口部の端面に当接するストッパ部が設けられていることを特徴とする請求項１、２又は３に記載の組み立て可能なプラスチックケース。
【請求項５】
引き出し体の前面板部の外面側に把手が設けられていることを特徴とする請求項１、２、３又は４に記載の組み立て可能なプラスチックケース。
【請求項６】
凸条の函体本体側を下辺とする横断面形状は上辺側よりも下辺側が幅狭であり、凹溝の函体本体側を下辺とする横断面形状は下辺側よりも上辺側が幅狭であり、且つ両横断面形状は略同一形状であること特徴とする請求項１、２、３、４又は５に記載の玩具等の組み立て可能なプラスチックケース。
【請求項７】
請求項１、２、３、４、５又は６に記載のプラスチックケース内に物品が収納されてなるカプセル体。
【請求項８】
一端が開口した６角柱形状の函体と、該函体内に前記開口部を通じて出し入れ可能に挿入される引き出し体とからなり、
前記函体の６面の側面のうち、隣接する３面の側面にはその長手方向に沿って凹溝が形成されるとともに、他の隣接する３面の側面にはその長手方向に沿って凸条が形成され、前記凹溝及び／又は凸条を他のブロック玩具の凸条及び／又は凹溝に脱着可能に嵌挿させることにより、他のブロック玩具と連結可能としたことを特徴とする、小物入れとして利用可能なプラスチックブロック玩具。
【請求項９】
函体における凸条が設けられた側面の開口部側の端部に、他の収納用プラスチックケースの凹溝形成部の端面を当接させるためのストッパ部が形成されていることを特徴とする、請求項８に記載の小物入れとして利用可能なプラスチックブロック玩具。
【請求項１０】
引き出し体が、６面の側面うち隣接する２面の側面が開口した６角柱形状に構成されることを特徴とする、請求項８又は９に記載の小物入れとして利用可能なプラスチックブロック玩具。
【請求項１１】
引き出し体の６角形状の前面板部の外縁の少なくとも一部に、函体の開口部の端面に当接するストッパ部が設けられていることを特徴とする、請求項８、９又は１０に記載の小物入れとして利用可能なプラスチックブロック玩具。
【請求項１２】
引き出し体の前面板部の外面側に把手が設けられていることを特徴とする、請求項８、９、１０又は１１に記載の小物入れとして利用可能なプラスチックブロック玩具。
【請求項１３】
凸条の函体本体側を下辺とする横断面形状は上辺側よりも下辺側が幅狭であり、凹溝の函体本体側を下辺とする横断面形状は下辺側よりも上辺側が幅狭であり、且つ両横断面形状は略同一形状であること特徴とする、請求項８、９、１０、１１又は１２に記載の小物入れとして利用可能なプラスチックブロック玩具。
【発明の詳細な説明】
【０００１】
【発明が属する技術分野】
本願の第１の発明は、ブロック玩具ないしは小物入れとして利用できる組み立て可能なプラスチックケースに関するもので、小売店や自動販売機等で販売される玩具や菓子等の小型商品を収納するためのカプセル状ケースとしても好適なプラスチックケースに関するものである。また、本願の第２の発明は、小物入れとして利用可能なプラスチックブロック玩具に関するものである。
【０００２】
【従来の技術】
カプセル状のプラスチックケース（包装容器）に入れられた玩具やお菓子が、小売店の店頭やレストランのフロア等に設置された自動販売機で販売されている。この自動販売機は、通称“ガチャポン”と呼ばれて子供らに親しまれている。また、上記のような玩具や菓子は、小売店の店頭で直接販売されたり、或いは拡販品として利用される場合もある。
【０００３】
【発明が解決しようとする課題】
玩具や菓子などが入れられた上記のプラスチックケース（カプセル）は、何の変哲もない球形状等のケースであるため利用価値がほとんどなく、このため多くの場合、中身の玩具などが取り出された後は、捨てられているのが実情である。また、従来のブロック玩具は専ら組み立て遊ぶだけのものであり、実用的な使い方のできるものではなかった。
【０００４】
したがって本発明の目的は、小型玩具や菓子などの商品の収納用カプセル状ケースとして用いることができるとともに、中身の玩具や菓子などを取り出した後は、組み立てて遊ぶブロック玩具或いは組み立て式の小物入れとして利用することができるプラスチックケースを提供することにある。
また、本発明の他の目的は、実用的な使い方が可能なブロック玩具を提供することにある。
【０００５】
【課題を解決するための手段】
上記課題を解決するための本発明の特徴は以下のとおりである。
［１］　一端が開口した６角柱形状の函体と、該函体内に前記開口部を通じて出し入れ可能に挿入される引き出し体とからなり、
前記函体の６面の側面のうち、隣接する３面の側面にはその長手方向に沿って凹溝が形成されるとともに、他の隣接する３面の側面にはその長手方向に沿って凸条が形成され、前記凹溝及び／又は凸条を他の収納用プラスチックケースの凸条及び／又は凹溝に脱着可能に嵌挿させることにより、他の収納用プラスチックケースと連結可能としたことを特徴とする玩具等の収納用プラスチックケース。
【０００６】
［２］　上記［１］の収納用プラスチックケースにおいて、函体における凸条が設けられた側面の開口部側の端部に、他の収納用プラスチックケースの凹溝形成部の端面を当接させるためのストッパ部が形成されていることを特徴とする玩具等の収納用プラスチックケース。
［３］　上記［１］又は［２］の収納用プラスチックケースにおいて、引き出し体が、６面の側面うち隣接する２面の側面が開口した６角柱形状に構成されることを特徴とする玩具等の収納用プラスチックケース。
［４］　上記［１］〜［３］のいずれかの収納用プラスチックケースにおいて、引き出し体の６角形状の前面板部の外縁の少なくとも一部に、函体の開口部の端面に当接するストッパ部が設けられていることを特徴とする玩具等の収納用プラスチックケース。
【０００７】
［５］　上記［１］〜［４］のいずれかの収納用プラスチックケースにおいて、引き出し体の前面板部の外面側に把手が設けられていることを特徴とする玩具等の収納用プラスチックケース。
［６］　上記［１］〜［５］のいずれかの収納用プラスチックケースにおいて、凸条の函体本体側を下辺とする横断面形状は上辺側よりも下辺側が幅狭であり、凹溝の函体本体側を下辺とする横断面形状は下辺側よりも上辺側が幅狭であり、且つ両横断面形状は略同一形状であること特徴とする玩具等の収納用プラスチックケース。
［７］　上記［１］〜［６］のいずれかのプラスチックケース内に物品が収納されてなるカプセル体。
【０００８】
［８］　一端が開口した６角柱形状の函体と、該函体内に前記開口部を通じて出し入れ可能に挿入される引き出し体とからなり、
前記函体の６面の側面のうち、隣接する３面の側面にはその長手方向に沿って凹溝が形成されるとともに、他の隣接する３面の側面にはその長手方向に沿って凸条が形成され、前記凹溝及び／又は凸条を他のブロック玩具の凸条及び／又は凹溝に脱着可能に嵌挿させることにより、他のブロック玩具と連結可能としたことを特徴とする、小物入れとして利用可能なプラスチックブロック玩具。
【０００９】
［９］　上記［８］のプラスチックブロック玩具において、函体における凸条が設けられた側面の開口部側の端部に、他の収納用プラスチックケースの凹溝形成部の端面を当接させるためのストッパ部が形成されていることを特徴とする、小物入れとして利用可能なプラスチックブロック玩具。
［１０］　上記［８］又は［９］のプラスチックブロック玩具において、引き出し体が、６面の側面うち隣接する２面の側面が開口した６角柱形状に構成されることを特徴とする、小物入れとして利用可能なプラスチックブロック玩具。
【００１０】
［１１］　上記［８］〜［１０］のいずれかのプラスチックブロック玩具において、引き出し体の６角形状の前面板部の外縁の少なくとも一部に、函体の開口部の端面に当接するストッパ部が設けられていることを特徴とする、小物入れとして利用可能なプラスチックブロック玩具。
［１２］　上記［８］〜［１１］のいずれかのプラスチックブロック玩具において、引き出し体の前面板部の外面側に把手が設けられていることを特徴とする、小物入れとして利用可能なプラスチックブロック玩具。
［１３］　上記［８］〜［１２］のいずれかのプラスチックブロック玩具において、凸条の函体本体側を下辺とする横断面形状は上辺側よりも下辺側が幅狭であり、凹溝の函体本体側を下辺とする横断面形状は下辺側よりも上辺側が幅狭であり、且つ両横断面形状は略同一形状であること特徴とする、小物入れとして利用可能なプラスチックブロック玩具。
【００１１】
【発明の実施の形態】
図１〜図５は本発明の収納用プラスチックケース（包装容器）の一実施形態を示すもので、図１は函体と引き出し体とを分離した状態で示す斜視図、図２は函体の横断面図、図３は函体横断面の部分拡大図、図４は収納用プラスチックケースどうしを連結した際の連結部の横断面図、図５は複数の収納用プラスチックケースを連結した状態を示す斜視図である。
【００１２】
図において、１は函体、２はこの函体１内に出し入れ可能に挿入される引き出し体であり、両部材ともプラスチックで構成される。
前記函体１は、一端が開口１０した６角柱形状に構成されており、前記開口部１０を通じて前記引き出し体２が出し入れ可能に挿入される。
この函体１の６面の側面のうち、隣接する３面の側面にはその長手方向に沿って凹溝４が形成されるとともに、他の隣接する３面の側面にはその長手方向に沿って凸条５が形成され、これら凹溝４及び／又は凸条５を他の収納用プラスチックケースの凸条５及び／又は凹溝４に脱着可能に嵌挿させることにより、他の収納用プラスチックケースと連結可能としている。
前記凸条５が設けられた側面の開口部１０側の端部には、他の収納用プラスチックケースの凹溝形成部の端面８を当接させるためのストッパ部６が形成されている。
【００１３】
前記引き出し体２は６角柱形状に構成され、全体が前記函体１の内部に挿脱可能に挿入される。この引き出し体２の６面の側面うち、隣接する２面の側面が開口２０し、この開口部２０から引き出し体２内に物を出し入れすることができる。また、この引き出し体１の前面板部２１の外面側には、引き出し体１２を函体１に対して出し入れするための把手３が設けられている。
また、この引き出し体２の６角形状の前面板部２１の外縁全周には、函体１の開口部１０の端面に当接するストッパ部７（張り出し部）が設けられている。なお、このストッパ部７は前面板部２１の外縁の一部に設けてもよい。
【００１４】
前記凸条５の函体本体側を下辺ｘ１とする横断面形状は、上辺ｙ１側よりも下辺ｘ１側が幅狭に、また、凹溝４の函体本体側を下辺ｘ２とする横断面形状は下辺ｘ２側よりも上辺ｙ２側が幅狭にそれぞれ構成されるとともに、両横断面形状は略同一形状に構成されている。これにより凹溝４に対して凸条５を脱着可能に嵌挿することができるとともに、嵌挿された状態で両者が強固に連結されるようにしている。本実施形態では、前記凸条５の横断面形状は函体本体側を上底とする台形状に、また、前記凹溝４の横断面形状は函体本体側を下底とする台形状にそれぞれ構成されている。
【００１５】
本発明の収納用プラスチックケースは、小型玩具や菓子などの商品の収納用ケースとして用いることができる。この場合、収納用プラスチックケース内には玩具（例えば、ミニカー、ゴム製人形、キャラクターグッズなど）や菓子などの商品が収納され、自動販売機において或いは小売店の店頭等においてカプセル入り商品（例えば、カプセル玩具）として販売される。また、小売店の店頭等で販売される場合には、複数のカプセル入り商品を箱詰めして販売してもよい。
【００１６】
そして、本発明の収納用プラスチックケースは、中身の玩具や菓子などを取り出した後は、図５に示すように複数のプラスチックケースｐを連結して組み立てて遊ぶブロック玩具、或いは組み立て式の小物入れとして利用できる。ここで、複数のプラスチックケースｐを連結して組み立てるには、図４に示すように一方のプラスチックケースｐ１の凹溝４内に、他方のプラスチックケースｐ２の凸条５をその端部からスライド嵌挿することにより、プラスチックケースｐ１，ｐ２どうしを連結するだけでよく、これにより両者は強固に連結される。
【００１７】
またその際に、図４に示すように、連結した後の両プラスチックケースｐ１，ｐ２の隣り合う面どうしを凹溝４又は凸条５のいずれかを有する面とすることにより、その隣り合う２つ面に対して、第３のプラスチックケースｐ３の２つの面（すなわち、同じ凹溝４又は凸条５が形成された２つの面）の凹溝４又は凸条５をスライド嵌挿することができ、これにより、この第３のプラスチックケースｐ３の連結が可能となる。同様にして、任意の数のプラスチックケースｐを連結し、ブロック玩具として任意な形態に組み立てて遊ぶことができる。また、このように組み立てられたプラスチックケースには、それぞれ引き出し体２が備わっているため、全体を１つの小物入れとして利用することもできる。
また、本発明のブロック玩具は、以上述べた収納用プラスチックケースと同じ構造をブロック玩具に適用したものである。したがって、このブロック玩具は、専ら組み立てて遊ぶだけの従来のブロック玩具とは異なり、組み立て後は小物入れとしての実用的な使い方が可能となる。
【００１８】
【発明の効果】
以上述べたように、本発明のプラスチックケースは、小型玩具や菓子などの商品の収納用カプセル状ケースとして用いることができるとともに、中身の玩具や菓子などを取り出した後はブロック玩具或いは小物入れとして利用することができ、この種のカプセル入り商品の商品価値を高めることができる。
また、本発明のプラスチックブロック玩具は、単に組み立てて遊ぶだけでなく、組み立て後には小物入れ等としての実用的な使い方ができるという特長がある。
【図面の簡単な説明】
【図１】本発明の一実施形態を、函体と引き出し体とを分離した状態で示す斜視図
【図２】図１に示す実施形態の函体の横断面図
【図３】図１に示す実施形態の函体横断面の部分拡大図
【図４】図１に示す実施形態の収納用プラスチックケースどうしを連結した際の連結部の横断面図
【図５】図１に示す実施形態の複数の収納用プラスチックケースを連結した状態を示す斜視図
【符号の説明】
１…函体、２…引き出し体、３…把手、４…凹溝、５…凸条、６…ストッパ部、７…ストッパ部、８…端面、１０…開口部、２０…開口部、２１…前面板部
【図１】
2004051221.tif 000003
【図２】
2004051221.tif 000004
【図３】
2004051221.tif 000005
【図４】
2004051221.tif 000006
【図５】
2004051221.tif 000007